(57)【要約】【課題】  結婚式等のイベントについてのアルバムを作成するに際し、アルバムのテンプレートの画像挿入領域に挿入する画像を簡易に選択できるようにする。【解決手段】  結婚式当日の新郎新婦にプロカメラマンが同行して撮影を行い複数の画像を取得する。画像により表されるシーンの特徴量を算出し、複数の画像を結婚式の行事についてのシーン毎の画像グループに分類する。結婚式の行事についてのシーン、画像グループ、アルバム用のテンプレートの画像挿入領域とを対応づける。編集画面にイベントバー３７を表示し、イベントバー３７の所望のシーンボタン３９が選択されると、そのシーンボタン３９により表されるシーンに対応する画像グループの画像の一覧およびテンプレートの画像挿入領域を編集画面３０′に表示する。【選択図】          図９
2005184791.tif 000002
【特許請求の範囲】
【請求項１】
各種表示を行う表示手段と、
複数シーンを含む所定のイベントを表す情報、該所定のイベントについての複数の画像、および該所定のイベントに含まれる複数シーンに対応する画像をそれぞれ挿入する複数の画像挿入領域を有する、複数ページからなるテンプレートの入力を受け付ける入力手段と、
前記複数の画像を前記所定のイベントに含まれる複数のシーン毎に分類して複数の画像グループを生成する画像グループ生成手段と、
前記複数のシーンからの所望とするシーンの選択を受け付けるシーン選択手段と、
該選択されたシーンに対応する画像グループに分類された画像の一覧を生成し、該画像の一覧を前記表示手段に表示する画像表示制御手段と、
前記テンプレートにおける、前記選択されたシーンに対応する画像を挿入する画像挿入領域を有するページを前記表示手段に表示するテンプレート表示制御手段と、
前記画像の一覧からの前記画像挿入領域に挿入する画像の選択を受け付ける画像選択手段とを備えたことを特徴とする画像編集装置。
【請求項２】
前記テンプレートが、前記複数のシーンの少なくとも１つに対応する色を有する複数ページからなるものである場合、
前記テンプレート表示制御手段は、さらに前記選択されたシーンに対応する色を有するページを前記表示手段に表示する手段であることを特徴とする請求項１記載の画像編集装置。
【請求項３】
前記複数シーンが前記所定のイベントにおいて行われた各種行事についてのシーンを表すものである場合、前記シーン選択手段は、前記複数のシーンをそれぞれ表す複数のシーンボタンを前記所定のイベントにおいて行事が行われた順序にて並べて前記表示手段に表示し、該表示されたシーンボタンの選択を受け付ける手段であることを特徴とする請求項１または２記載の画像編集装置。
【請求項４】
前記シーン選択手段は、前記複数のシーンをそれぞれ表す複数のシーンボタンを前記表示手段に表示し、該表示されたシーンボタンの選択を受け付ける手段であることを特徴とする請求項１または２記載の画像編集装置。
【請求項５】
複数シーンを含む所定のイベントを表す情報、該所定のイベントについての複数の画像、および該所定のイベントに含まれる複数シーンに対応する画像をそれぞれ挿入する複数の画像挿入領域を有する、複数ページからなるテンプレートの入力を受け付け、
前記複数の画像を前記所定のイベントに含まれる複数のシーン毎に分類して複数の画像グループを生成し、
前記複数のシーンからの所望とするシーンの選択を受け付け、
該選択されたシーンに対応する画像グループに分類された画像の一覧を生成し、該画像の一覧を表示手段に表示し、
前記テンプレートにおける、前記選択されたシーンに対応する画像を挿入する画像挿入領域を有するページを前記表示手段に表示し、
前記画像の一覧からの前記画像挿入領域に挿入する画像の選択を受け付けることを特徴とする画像編集方法。
【請求項６】
複数シーンを含む所定のイベントを表す情報、該所定のイベントについての複数の画像、および該所定のイベントに含まれる複数シーンに対応する画像をそれぞれ挿入する複数の画像挿入領域を有する、複数ページからなるテンプレートの入力を受け付ける手順と、
前記複数の画像を前記所定のイベントに含まれる複数のシーン毎に分類して複数の画像グループを生成する手順と、
前記複数のシーンからの所望とするシーンの選択を受け付ける手順と
該選択されたシーンに対応する画像グループに分類された画像の一覧を生成し、該画像の一覧を表示手段に表示する手順と、
前記テンプレートにおける、前記選択されたシーンに対応する画像を挿入する画像挿入領域を有するページを前記表示手段に表示する手順と、
前記画像の一覧からの前記画像挿入領域に挿入する画像の選択を受け付ける手順とを有することを特徴とする画像編集方法をコンピュータに実行させるためのプログラム。
【発明の詳細な説明】
【技術分野】
【０００１】
本発明は、テンプレートの画像挿入領域に挿入する画像を選択するための画像編集装置および方法並びに画像編集方法をコンピュータに実行させるためのプログラムに関するものである。
【背景技術】
【０００２】
例えば、特許文献１に記載されているように、撮影済み写真フイルムからフイルムスキャナを用いて画像を読み取り、選択された画像を任意にレイアウトして、１枚の写真プリントとしてプリント出力することにより写真アルバムを作成する方法が提案されている。
【０００３】
また、所望の画像のみを写真プリントとしてプリント出力し、アルバムを構成するための台紙に、写真プリントのプリントサイズとアルバムのレイアウトにあわせて切り欠き凹部を形成し、形成された切り欠き凹部に写真プリントを挿入することにより、アルバムを作成する方法も提案されている（特許文献２参照）。
【０００４】
一方、結婚式のアルバムを作成するために、結婚式当日の新郎新婦にプロカメラマンを同行させ、結婚式を行う教会の前や、記念となるようなモニュメントの前で撮影を行ったり、結婚式や披露宴の最中の撮影を行うことにより、多数の画像の撮影を行って結婚式当日のアルバムを作成することが行われている。このようなアルバムは結婚式当日の新郎新婦の行動を追跡したものとなるため、ストーリー性のあるアルバムとなり、後でアルバムを見て楽しむことができる。
【０００５】
ところで、上述したようにアルバムを作成する作業は、プロカメラマンやアルバム作成サービスを提供する写真店のオペレータ（以下オペレータで代表させる）が、撮影により取得した複数の画像を画像サーバに保管し、アルバム作成のためのワークステーションにおいて、画像サーバに保管された複数の画像の一覧と、アルバムを作成するための画像挿入領域を有するテンプレートとをモニタ等の表示手段に同時に表示し、画像挿入領域に挿入する画像を画像の一覧から選択することにより行っている。この際、オペレータは、選択した画像を画像挿入領域に見栄えよく挿入できるように、画像をぼかしたりシャープネスを強調したりする画質を変更する処理、画像の回転、サイズ変更およびトリミング等の画像を加工する処理、並びに赤目補正や傷消し等の画像を修復する処理等の画像の編集処理を行う。
【０００６】
そして、編集された画像をプリント出力して台紙に貼り付けることによりアルバムが作成される。また、特許文献１に記載されているように、編集された画像がテンプレートの画像挿入領域に挿入されるように、編集された画像とテンプレートとを合成して、すでに台紙に貼り付けられた状態のアルバムをプリント出力することにより、アルバムを作成することもできる。
【特許文献１】特開平９−２１４８６８号公報
【特許文献２】特開２００３−１８２２６０号公報
【発明の開示】
【発明が解決しようとする課題】
【０００７】
ところで、上述したようにアルバムを作成する場合、結婚式等の１つのイベントについて数百枚もの撮影を行うことにより画像が取得されるが、画像の一覧に含まれる数百枚もの画像からテンプレートの画像挿入領域に挿入する画像を選択する作業は、オペレータにとって非常に負担が大きい。
【０００８】
本発明は上記事情に鑑みなされたものであり、とくに上述した結婚式等のイベントについてのアルバムを作成するに際し、テンプレートの画像挿入領域に挿入する画像を簡易に選択できるようにすることを目的とする。
【課題を解決するための手段】
【０００９】
本発明による画像編集装置は、各種表示を行う表示手段と、
複数シーンを含む所定のイベントを表す情報、該所定のイベントについての複数の画像、および該所定のイベントに含まれる複数シーンに対応する画像をそれぞれ挿入する複数の画像挿入領域を有する、複数ページからなるテンプレートの入力を受け付ける入力手段と、
前記複数の画像を前記所定のイベントに含まれる複数のシーン毎に分類して複数の画像グループを生成する画像グループ生成手段と、
前記複数のシーンからの所望とするシーンの選択を受け付けるシーン選択手段と、
該選択されたシーンに対応する画像グループに分類された画像の一覧を生成し、該画像の一覧を前記表示手段に表示する画像表示制御手段と、
前記テンプレートにおける、前記選択されたシーンに対応する画像を挿入する画像挿入領域を有するページを前記表示手段に表示するテンプレート表示制御手段と、
前記画像の一覧からの前記画像挿入領域に挿入する画像の選択を受け付ける画像選択手段とを備えたことを特徴とするものである。
【００１０】
なお、本発明による画像編集装置においては、前記テンプレートが、前記複数のシーンの少なくとも１つに対応する色を有する複数ページからなるものである場合、
前記テンプレート表示制御手段を、さらに前記選択されたシーンに対応する色を有するページを前記表示手段に表示する手段としてもよい。
【００１１】
また、本発明による画像編集装置においては、前記複数シーンが前記所定のイベントにおいて行われた各種行事についてのシーンを表すものである場合、前記シーン選択手段を、前記複数のシーンをそれぞれ表す複数のシーンボタンを前記所定のイベントにおいて行事が行われた順序にて並べて前記表示手段に表示し、該表示されたシーンボタンの選択を受け付ける手段としてもよい。
【００１２】
また、本発明による画像編集装置においては、前記シーン選択手段を、前記複数のシーンをそれぞれ表す複数のシーンボタンを前記表示手段に表示し、該表示されたシーンボタンの選択を受け付ける手段としてもよい。
【００１３】
本発明による画像編集方法は、複数シーンを含む所定のイベントを表す情報、該所定のイベントについての複数の画像、および該所定のイベントに含まれる複数シーンに対応する画像をそれぞれ挿入する複数の画像挿入領域を有する、複数ページからなるテンプレートの入力を受け付け、
前記複数の画像を前記所定のイベントに含まれる複数のシーン毎に分類して複数の画像グループを生成し、
前記複数のシーンからの所望とするシーンの選択を受け付け、
該選択されたシーンに対応する画像グループに分類された画像の一覧を生成し、該画像の一覧を表示手段に表示し、
前記テンプレートにおける、前記選択されたシーンに対応する画像を挿入する画像挿入領域を有するページを前記表示手段に表示し、
前記画像の一覧からの前記画像挿入領域に挿入する画像の選択を受け付けることを特徴とするものである。
【００１４】
なお、本発明による画像編集方法をコンピュータに実行させるためのプログラムとして提供してもよい。
【発明の効果】
【００１５】
本発明の画像編集装置および方法によれば、複数シーンを含む所定のイベントを表す情報、所定のイベントについての複数の画像、所定のイベントに含まれる複数シーンに対応する画像をそれぞれ挿入する複数の画像挿入領域を有する、複数ページからなるテンプレートの入力が受け付けられると、複数の画像が所定のイベントに含まれる複数のシーン毎に分類されて複数の画像グループが生成される。そして、複数のシーンからの所望とするシーンの選択が受け付けられると、選択されたシーンに対応する画像グループに分類された画像の一覧が生成され、この画像の一覧が表示手段に表示される。また、テンプレートにおける選択されたシーンに対応する画像を挿入する画像挿入領域を有するページが表示手段に表示される。これにより、表示手段には選択したシーンに分類された画像の一覧および選択したシーンに対応する画像を挿入する画像挿入領域を有するテンプレートのページのみが表示されるため、編集作業を行うオペレータは、画像の一覧を参照すれば、表示されたテンプレートの画像挿入領域に挿入すべき画像を容易に選択することができる。したがって、テンプレートの画像挿入領域に挿入する画像を選択する際のオペレータの負担を軽減することができる。
【００１６】
ここで、同じシーンであっても、ユーザの好みに応じてそのシーンに含まれる人物の衣装の色が変わる場合がある。また、ユーザが選択した衣装やポーズに応じて、撮影時の背景の色が変更される場合がある。このため、テンプレートが複数のシーンの少なくとも１つに対応する色を有する複数ページからなる場合において、選択されたシーンに対応する色を有するページを表示することにより、多様なシーンに対応した見栄えのよいアルバムを作成できる。また、シーンに応じた複数のテンプレートを用意する必要がなくなるため、テンプレートの管理を効率よく行うことができる。
【００１７】
また、複数シーンが所定のイベントにおいて行われた各種行事のシーンを表すものである場合には、複数のシーンをそれぞれ表す複数のシーンボタンを所定のイベントにおいて行事が行われた順序にて並べて表示することにより、行事に応じたシーンの選択を容易に行うことができる。また、イベントにおいて行われた行事毎にテンプレートの画像挿入領域に挿入する画像を選択することができる。
【００１８】
また、複数シーンをそれぞれ表す複数のシーンボタンを表示することにより、シーンの選択を容易に行うことができる。
【発明を実施するための最良の形態】
【００１９】
以下、図面を参照して本発明の実施形態について説明する。図１は本発明の第１の実施形態による画像編集装置を備えた画像編集システムの構成を示す概略ブロック図である。図１に示すように、本実施形態による画像編集システムは、本実施形態による画像編集装置の機能を有するアルバム編集ＰＣ（パソコン）１、現像済みのフイルムネガあるいはポジのフイルムやプリントから画像を読み取ってフイルムに記録された画像を表す画像データを取得するスキャナと、画像データをプリント出力するプリンタとを備えた複数（ここでは２つ）のミニラボ機３Ａ，３Ｂ、スキャナ３Ｃ、画像データを蓄積する大容量のハードディスクを備えたファイルサーバ５、およびアルバム作成作業の工程管理を行う工程管理ＰＣ７を備え、これらがネットワークにより接続されてなるものである。
【００２０】
なお、本実施形態においては、結婚式をイベントとして、結婚式についてのストーリー性のあるアルバムの作成を依頼したユーザである新郎新婦にプロカメラマンが同行して、結婚式当日のユーザの撮影を行い、これにより得られた画像を用いてアルバムを作成する場合について説明するが、イベントは結婚式に限定されるものではない。
【００２１】
図２はアルバム編集ＰＣ１の構成を示す概略ブロック図である。図２に示すように、アルバム編集ＰＣは、アルバム編集ＰＣ１の全体の制御を行うＣＰＵ１１（画像グループ生成手段、画像表示制御手段、テンプレート表示制御手段）、ファイルサーバ５と画像データを含む各種情報の送受信を行うためのネットワーク用の送受信手段１３（入力手段）、画像やテンプレート等の各種情報を表示するための表示手段１５、アルバム編集ＰＣ１を操作するオペレータが入力手段１７（シーン選択手段、画像選択手段）を介して入力した各種情報を読み取ってＣＰＵ１１に伝達したり、ＣＰＵ１１からの指示に基づいて表示手段１５に表示指令を出力するＩ／Ｏ１９、ＣＰＵ１１を動作させるプログラムや各種定数が記録されているＲＯＭやＣＰＵ１１が処理を実行する際の作業領域となる記録手段であるＲＡＭとから構成されるメモリ２１、画像データ等各種情報を記録するハードディスク等の記録手段２３が設けられている。
【００２２】
アルバム編集ＰＣ１内のＣＰＵ１１と、送受信手段１３、Ｉ／Ｏ１９、メモリ２１、および記録手段２３等を含む各周辺回路とはバス２５により接続されており、ＣＰＵ１１は各々の周辺回路を制御することが可能となっている。すなわち、ＣＰＵ１１が、送受信手段１３、表示手段１５、メモリ２１および記録手段２３を制御することにより、ファイルサーバ５から画像データや後述するテンプレートデータ等の情報を受信して、受信した画像データを記録手段２３に記録するとともに、画像データの一覧およびテンプレートを表示手段１５に表示して、オペレータによる入力手段１７からの指示により、テンプレートの画像挿入領域に挿入する画像の選択、画像の編集情報の生成、画像編集情報のファイルサーバ５への送信を行うことが可能となっている。
【００２３】
ここで、アルバム編集ＰＣ１は、オペレータがアルバムの編集作業を行う際に、アルバムの作成を依頼したユーザが指定したテンプレートの種類およびユーザＩＤからなるアルバム編集情報の入力を受け付け、アルバム編集情報をファイルサーバ５に送信する。また、アルバム編集ＰＣ１は、ユーザがアルバム作成を依頼したイベントの種類の入力も受け付ける。そして、アルバム編集ＰＣ１はファイルサーバ５が送信したテンプレートデータ、画像データおよびテンプレートの画像挿入領域に挿入する案内画像データを受信する。アルバム編集ＰＣ１は画像データを縮小して、画像データにより表される画像の一覧を生成するとともに、テンプレートデータにより表されるテンプレートの画像挿入領域のそれぞれに、対応する案内画像データにより表される案内画像を挿入し、案内画像が挿入されたテンプレートおよび画像の一覧を含む編集画面を表示手段１５に表示する。以下、この編集画面の表示の処理について説明する。
【００２４】
アルバム編集ＰＣ１は、画像データを受信すると、画像データにより表される画像のそれぞれについて、画像により表されるシーンの特徴量を算出する。本実施形態においては、特徴量として画像データにより表される画像に含まれるＲ，Ｇ，Ｂ各色のその画像における平均値を用いるものとする。すなわち、画像を構成する各画素のＲ，Ｇ，Ｂの画素値を全画素について加算して加算値を得、加算値を全画素数により除算することにより特徴量を算出する。
【００２５】
なお、ファイルサーバ５において画像データにより表される画像のそれぞれについてシーンの特徴量を算出し、算出した特徴量を画像データとともにアルバム編集ＰＣ１に送信するようにしてもよい。これにより、アルバム編集ＰＣ１は特徴量を算出する必要がなくなるため、アルバム編集ＰＣ１の処理の負担を軽減することができる。
【００２６】
次いで、アルバム編集ＰＣ１は、算出した特徴量に応じて画像データをシーン毎の複数の画像グループに分類して複数の画像グループを生成する。具体的には、すべての画像データについて、特徴量（ｒ，ｇ，ｂ）の３次元空間における画像間の特徴量（ｒ，ｇ，ｂ）の距離を算出し、距離が所定のしきい値Ｔｈ１以内となる画像データ同士を、特徴量が近似するすなわちシーンが類似する画像を表すものとして１つの画像グループに分類する。
【００２７】
なお、本実施形態においては、ファイル名順に画像データからシーンの特徴量を算出して分類を行うものとする。この際、図３に示すように同じ画像グループ（例えば画像グループＡとする）に分類される画像データＧ１，Ｇ２が続き、他の画像グループ（画像グループＢとする）に分類される画像データＧ３が１つ存在し、これに続いて、画像グループＡに分類される画像データＧ４，Ｇ５が続く場合には、撮影時におけるシーンの連続性を考慮して、画像データＧ３を画像グループＡに分類するようにしてもよい。
【００２８】
一方、本実施形態においては、イベントにおいて行われた複数の行事についての各シーンの特徴を表す特徴量の目標値がイベントにおいて行われた行事の順序にて並べられた目標値配列を、複数のイベントについて記述した目標値配列テーブルを記録手段２３に記憶している。
【００２９】
図４は目標値配列テーブルの例を示す図である。図４に示すように目標値配列テーブルＯＴ１は、結婚式１、結婚式２等のイベントを表すイベント名と、各イベント名により表されるイベントにおいて行われた、指輪の交換、ケーキカット、披露宴の挨拶等の行事についてのシーンの特徴量の目標値が、イベントにおいて行事が行われた順序にて記述されている。例えば結婚式１というイベントにおいて、３つのシーン１，２，３についての行事がこの順序で行われた場合、各シーン１，２，３のそれぞれの特徴量の目標値（１００，１０，１０）、（１０，１０，１００）、（１０，１００，１０）がこの順序にて記述されている。シーンの特徴量の目標値は、目標とするシーンを撮影することにより取得した画像についてのＲ，Ｇ，Ｂ各色のその画像における平均値を算出することにより求める。
【００３０】
アルバム編集ＰＣ１は、目標値配列テーブルＯＴ１を参照して、分類された画像グループとシーンとを対応づける。図５は画像グループとシーンとの対応づけを説明するための図である。ここで、本実施形態において画像データが画像グループＡ，Ｂ，Ｃの３つに分類されたものとし、イベントとしては結婚式１が指定されたものとする。
【００３１】
まず、アルバム編集ＰＣ１は、画像グループＡ，Ｂ，Ｃに含まれるすべての画像データについてのシーンの特徴量の平均値を算出する。図５に示すように画像グループＡの平均値は（８５，２０，２０）、画像グループＢの平均値は（１６，９８，２０）、画像グループＣの平均値は（１２，２０，９５）であったとする。アルバム編集ＰＣ１は、各画像グループＡ，Ｂ，Ｃについてのシーンの特徴量の平均値と、目標値配列テーブルＯＴ１における結婚式１についての各シーンのシーン特徴量目標値との特徴量（ｒ，ｇ，ｂ）の３次元空間における距離を算出し、距離が最小となったシーンにその画像グループを対応づける。これにより、画像グループＡがシーン１に、画像グループＢがシーン３に、画像グループＣがシーン２にそれぞれ対応づけられる。
【００３２】
さらに、本実施形態においては、シーンおよび画像グループとテンプレートの画像挿入領域とを対応づける。このため、本実施形態においては、テンプレートの画像挿入領域のそれぞれに挿入されるべきシーンの特徴量の目標値であるシーン目標値を複数種類のテンプレートについて記述したテンプレート目標値テーブルを記録手段２３に記憶している。
【００３３】
図６はテンプレート目標値テーブルＴＴ１の例を示す図である。図６に示すようにテンプレート目標値テーブルＴＴ１は、Ｔ１，Ｔ２等のテンプレートの種類と、各テンプレートに含まれる画像挿入領域１−ａ，１−ｂ，１−ｃ等についてシーン目標値が記述されている。例えばテンプレートＴ１は３つの画像挿入領域１−ａ，１−ｂ，１−ｃを有し、各画像挿入領域のシーン目標値がそれぞれ（１００，１０，１０）、（１０，１０，１００）、（１０，１００，１０）となっている。シーンの特徴量の目標値は、目標とするシーンを撮影することにより取得した画像についてのＲ，Ｇ，Ｂ各色のその画像における平均値を算出することにより求める。
【００３４】
なお、本実施形態においては、テンプレートＴ１を使用する旨がユーザにより指定されたものとすると、アルバム編集ＰＣ１は、目標値配列テーブルＯＴ１およびテンプレート目標値テーブルＴＴ１を参照して、イベントである結婚式１のシーン１，２，３と、テンレートＴ１の画像挿入領域１−ａ，１−ｂ，１−ｃとを対応づける。これにより、シーン１と画像挿入領域１−ａ、シーン２と画像挿入領域１−ｂ、シーン３と画像挿入領域１−ｃが対応づけられる。一方、上述したように結婚式のシーン１，２，３と画像グループＡ，Ｃ，Ｂとが対応づけられているため、アルバム編集ＰＣ１は図７に示すように、イベントのシーン、画像グループおよび画像挿入領域を対応づけた対応づけテーブルＣ０を生成する。図７に示す対応づけテーブルＣ０を参照することにより、シーン１、画像グループＡおよび画像挿入領域１−ａが対応づけられ、シーン２、画像グループＣおよび画像挿入領域１−ｂが対応づけられ、シーン３、画像グループＢおよび画像挿入領域１−ｃが対応づけられていることが分かる。
【００３５】
このように対応づけテーブルＣ０を生成すると、アルバム編集ＰＣ１は編集初期画面を表示手段１５に表示する。
【００３６】
図８は編集初期画面の例を示す図である。図８に示すように、編集初期画面３０には、画像の一覧を表示する一覧表示フィールド３１、案内画像が挿入されたテンプレートを表示するテンプレート表示フィールド３３、ツールボックス３５およびイベントバー３７が含まれる。
【００３７】
まず、イベントバー３７について説明する。イベントバー３７には、ユーザが指定した結婚式１というイベントにおいて行われた行事についてのシーンを選択するためのシーンボタン３９が、行事がイベントにおいて行われた順序にて並べられている。また、各シーンボタン３９には、各シーンに分類された画像グループの大まかな画像数が棒グラフ３９Ａにより示されている。そして、オペレータがイベントバー３７における所望とするシーンについてのシーンボタン３９をクリックすることにより、所望とするシーンを選択すると、アルバム編集ＰＣ１は、対応づけテーブルＣ０を参照して、オペレータが選択したシーンに対応する画像グループに分類された画像データにより表される画像の一覧を生成してこれを一覧表示フィールド３１に表示し、さらにオペレータが選択したシーンに対応する画像挿入領域が含まれるテンプレートＴ１のページをテンプレート表示フィールド３３に表示する。
【００３８】
図９は画像の一覧およびテンプレートが表示された編集画面を示す図である。なお、ここではイベントバー３７におけるシーン１のシーンボタン３９がクリックされてシーン１が選択されたものとする。図９に示すように、編集画面３０′においては、イベントバー３７におけるシーン１のシーンボタン３９の色が変更され、一覧表示フィールド３１には、シーン１に対応する画像グループＡに分類された画像データにより表される画像の一覧が表示され、テンプレート表示フィールド３３にはシーン１に対応する画像挿入領域１−ａを含むテンプレートＴ１のページが表示される。
【００３９】
なお、一覧表示フィールド３１にはスクロールバー３１Ａが表示されており、これを左右に移動させることにより、１画面に表示しきれない画像を表示することができる。
【００４０】
また、テンプレート表示フィールド３３に表示されるテンプレートの画像挿入領域１−ａには案内画像が表示される。
【００４１】
案内画像は、テンプレートＴ１の各画像挿入領域１−ａ，１−ｂ，１−ｃにどのような構図の画像を挿入すればよいかを、アルバム編集作業を行うオペレータに通知することが可能な画像である。ここで、イベントについてのアルバムを作成するための撮影は、アルバムの作成を依頼したユーザに拘わらず、同じ場所、同じ状況で行われるものである。例えば、上述したように結婚式当日の新郎新婦の撮影は、ホテル内の決まった場所で行われ、さらに結婚式中の指輪の交換のシーンや、披露宴でのケーキカットのシーン等、決まった状況で行われる。
【００４２】
このため、テンプレートの画像挿入領域１−ａ，１−ｂ，１−ｃに挿入される画像を、同じテンプレートを選択したすべてのユーザにおいて同一の構図を有するものとすることにより、できあがったアルバムの品質を一定にすることができる。したがって、案内画像としては、画像挿入領域に挿入されるべき構図を表すイラスト、線画あるいはモデルを用いて実際の場所または状況において撮影を行うことにより得られたサンプル画像等を用いることができる。なお、本実施形態においては、モデルを用いたサンプル画像が挿入されているものとする。
【００４３】
また、テンプレート表示フィールド３３には、テンプレートが複数のページを有する場合に、テンプレート表示フィールド３３に表示されるテンプレートのページを切り換えるための矢印ボタン３３Ａ，３３Ｂが表示されている。オペレータは矢印ボタン３３Ａ，３３Ｂをクリックすることにより、編集画面３０′に表示するテンプレートのページを切り換えることができる。
【００４４】
ツールボックス３５には、ぼかし、シャープ、およびブラシのように画質を変更する処理を画像データに施すためのボタン、赤目消しおよび傷消しのように画像を修復する処理を画像データに施すためのボタン、回転およびサイズ変更のように画像を加工する処理を画像データに施すためのボタン、並びに処理を終了するための決定ボタンが表示されている。
【００４５】
オペレータは、編集画面３０′を見ながらアルバムの編集指示を行うことにより編集作業を行う。具体的には、画像挿入領域に挿入された案内画像と構図が一致する画像を画像の一覧から選択し、選択した画像を入力手段１７を用いてドラッグアンドドロップすることにより、選択した画像を画像挿入領域に挿入する。挿入後はその画像挿入領域を選択し、ツールボックス３５のボタンをクリックすることにより、選択した画像挿入領域に挿入された画像を編集することができる。例えば、回転ボタンをクリックすることにより画像を右回りに９０度回転することができる。また、サイズ変更ボタンをクリックすることにより、画像のサイズを変更することができる。また、ぼかし、シャープおよびブラシボタンをクリックすることにより、画像の画質を変更することができる。また、赤目消しおよび傷消しボタンをクリックすることにより画像を修復することができる。
【００４６】
そして、イベントバー３７に表示されているシーンボタン３９を順次クリックして選択し、テンプレートのすべての画像挿入領域を表示して、テンプレートのすべての画像挿入領域に挿入する画像を選択し、選択した画像への編集が終了すると、オペレータは決定ボタンをクリックすることによりそのテンプレートにより構成されるアルバムの編集作業を終了する。なお、オペレータが決定ボタンをクリックすることにより、アルバム編集ＰＣ１は選択された画像データのファイル名、テンプレートの各画像挿入領域と各画像挿入領域に挿入される画像データのファイル名とを対応づけた情報、ぼかし、拡大縮小および赤目消し等の各画像データに施すべき処理の種類を表す情報、トリミングを行う場合のトリミング領域の範囲を表す情報、拡大縮小する場合の拡大率の情報等を含む画像編集情報を生成してファイルサーバ５に送信する。
【００４７】
ファイルサーバ５には、ミニラボ機３Ａ，３Ｂおよびスキャナ３Ｃにおいて、現像済みのフイルムに記録された画像を読み取ることにより得られた画像データが保管される。画像データはアルバム作成を依頼したユーザ単位で作成されたフォルダに保管される。また、ファイルサーバ５には、アルバム作成用のテンプレートを表すテンプレートデータが複数保管されている。また、テンプレートの画像挿入領域に挿入する案内画像を表す案内データも保管されている。
【００４８】
そして、ファイルサーバ５はアルバム編集ＰＣ１から送信されたアルバム編集情報を参照して、ユーザが選択した種類のテンプレートを表すテンプレートデータ、ユーザＩＤに対応するフォルダに保管された画像データ、およびテンプレートの画像挿入領域に挿入される案内画像を表す案内画像データをアルバム編集ＰＣ１に送信する。
【００４９】
一方、アルバム編集ＰＣ１から画像編集情報が送信されると、ファイルサーバ５は画像編集情報に含まれる選択された画像を表す画像データのファイル名を参照して、選択された画像データに対してセットアップ処理および編集処理を行い、処理済み画像データを生成する。なお、セットアップ処理には、選択された画像データに対する明るさ補正処理、色補正処理および階調補正処理の少なくとも１つの処理が含まれる。また、編集処理には、画像編集情報により指定された、ぼかし、シャープおよびブラシ等が指定されている画像データに対する画質を変更する処理、トリミングや拡大縮小の処理が指定されている画像データに対するトリミングおよび拡大縮小等の画像を加工する処理、およびぼかしや赤目消し等の画像処理が指定されている画像データに対する画像を修復する処理が含まれる。
【００５０】
また、ファイルサーバ５は、画像編集情報に含まれるテンプレートの各画像挿入領域と各画像挿入領域に挿入される画像データのファイル名とを対応づけた情報から、アルバムのレイアウト情報を生成する。図１０はレイアウト情報の例を示す図である。図１０に示すように、レイアウト情報は、使用するテンプレートＴ１の画像挿入領域１−ａ，１−ｂ，１−ｃと、各画像挿入領域に挿入する画像データのファイル名（DSCF0012.jpg、DSCF0020.jpg、DSCF0023.jpg）とを対応づけたものとなっている。そして、処理済み画像データとともにレイアウト情報をミニラボ機３Ａ，３Ｂのいずれかに送信する。
【００５１】
工程管理ＰＣ７は、オペレータによる１つのアルバムの注文についての作成工程を管理するために、オペレータにより、アルバム編集終了、プリント完了およびアルバム検品終了等、各工程の処理が終了した旨の入力を受け付ける。最終的には、完成したアルバムの品質をオペレータが検査し、検査結果が合格であった場合に、その旨の入力を受け付け、１つのアルバムについての工程管理を終了する。なお、検査結果が不合格であった場合には、そのアルバム作成の注文に対して、再度のアルバム作成の指示の入力を受け付ける。
【００５２】
次いで、第１の実施形態において行われる処理について説明する。図１１は第１の実施形態において行われる処理を示すフローチャートである。なお、ファイルサーバ５には、結婚式当日のユーザの撮影を行うことにより画像が記録された現像済みのフイルムから、画像を読み取ることにより得られた画像データが保管されているものとする。また、ユーザＩＤおよびユーザが指定したテンプレートの種類の情報からなるアルバム編集情報、並びにユーザがアルバム作成を依頼したイベントの種類が入力されているものとする。
【００５３】
オペレータがアルバム編集ＰＣ１からアルバム編集の指示を行うことにより処理が開始され、まず、アルバム編集ＰＣ１は、ユーザＩＤおよびユーザが指定したテンプレートの種類の情報からなるアルバム編集情報をファイルサーバ５に送信する（ステップＳ１）。
【００５４】
ファイルサーバ５はアルバム編集情報を受信し、ユーザＩＤに対応するフォルダに保管された画像データ、ユーザが指定した種類のテンプレートを表すテンプレートデータおよびテンプレートの画像挿入領域に挿入される案内画像を表す案内画像データをアルバム編集ＰＣ１に送信する（ステップＳ２）。
【００５５】
アルバム編集ＰＣ１は、画像データ、テンプレートデータおよび案内画像データを受信して、アルバム編集指示を受け付ける処理を行う（ステップＳ３）。
【００５６】
図１２はアルバム編集指示を受け付ける処理を示すフローチャートである。まず、アルバム編集ＰＣ１は、複数の画像データについてのシーンの特徴量を算出し（ステップＳ１１）、特徴量に応じて複数の画像データをシーン毎の複数の画像グループに分類して複数の画像グループを生成する（ステップＳ１２）。次いで、記録手段２３に記録された目標値配列テーブルＯＴ１およびテンプレート目標値テーブルＴＴ１を参照して、画像グループ、シーンおよびテンプレートの画像挿入領域とを対応づけた対応づけテーブルＣ０を生成する（ステップＳ１３）。そして、図８に示す編集初期画面３０を表示手段１５に表示する（ステップＳ１４）。
【００５７】
そして、オペレータによりイベントバー３７のシーンボタン３９がクリックされたか否かの監視を開始し（ステップＳ１５）、ステップＳ１５が肯定されると、シーンボタン３９がクリックされることにより選択されたシーンに対応する画像グループに分類された画像データについて画像の一覧を生成してこれを一覧表示フィールド３１に表示するとともに、シーンボタン３９がクリックされることにより選択されたシーンに対応する画像挿入領域のページをテンプレート表示フィールド３３に表示する（ステップＳ１６）。なお、テンプレート表示フィールド３３に表示されたテンプレートの画像挿入領域には、案内画像データにより表される案内画像が挿入される。
【００５８】
アルバム編集ＰＣ１は、オペレータによる編集画面３０を参照してのアルバムの編集指示を受け付ける（ステップＳ１７）。次いで、オペレータによりイベントバー３７の他のシーンボタン３９がクリックされたか否かを判定し（ステップＳ１８）、ステップＳ１８が肯定されると、ステップＳ１６に戻り、他のシーンボタン３９がクリックされることにより選択されたシーンに対応する画像グループに分類された画像データについて画像の一覧を生成してこれを一覧表示フィールド３１に表示するとともに、他のシーンボタン３９がクリックされることにより選択されたシーンに対応する画像挿入領域のページをテンプレート表示フィールド３３に表示する。
【００５９】
ステップＳ１８が否定されると、決定ボタンがクリックされたか否かを判定し（ステップＳ１９）、ステップＳ１９が否定されるとステップＳ１８に戻る。ステップＳ１９が肯定されると、アルバム編集指示を受け付ける処理を終了する。
【００６０】
図１１に戻り、アルバム編集ＰＣ１は画像編集情報を生成し、これをファイルサーバ５に送信する（ステップＳ４）。
【００６１】
ファイルサーバ５は、画像編集情報を受信して、画像編集情報に含まれる選択された画像データのファイル名を参照して、画像の編集処理を行う（ステップＳ５）。そして、画像編集処理により生成された処理済み画像データおよび画像編集情報から生成したレイアウト情報をミニラボ機３Ａ，３Ｂのいずれかに出力して（ステップＳ６）、処理を終了する。
【００６２】
ミニラボ機３Ａ，３Ｂは、処理済み画像データおよびレイアウト情報を受信すると処理済み画像データをプリント出力して、処理済み画像データのプリントを生成する。オペレータは（あるいはアルバム加工を専門に行うオペレータ）は、レイアウト情報を参照しつつ、テンプレートに対応する台紙におけるプリント挿入領域にプリントを貼り付け、さらには製本作業等を行ってアルバムを作成する。
【００６３】
作成されたアルバムは、品質管理を行うオペレータにより検査され、検査に合格するとユーザに配送される。なお、検査に不合格であった場合には、工程管理ＰＣ７において、そのアルバム作成の注文について、再度のアルバムの作成の指示がなされる。
【００６４】
このように、本実施形態においては、オペレータがイベントバー３７において所望とするシーンを選択すると、シーン、画像グループおよびテンプレートの画像挿入領域を対応づけた対応づけテーブルＣ０を参照して、選択されたシーンに対応する画像の一覧およびテンプレートの画像挿入領域を編集画面３０′に表示するようにしたため、編集作業を行うオペレータは、画像の一覧を参照すれば、表示されたテンプレートの画像挿入領域に挿入すべき画像を容易に選択することができる。したがって、テンプレートの画像挿入領域に挿入する画像を選択する際のオペレータの負担を軽減することができる。
【００６５】
また、イベントバー３７において、イベントにおける行事のシーンについてのシーンボタン３９を、行事がイベントにおいて行われた順序にて並べて表示することにより、行事に応じたシーンの選択を容易に行うことができる。
【００６６】
なお、上記実施形態においては、画像データをイベントにおいて行われた行事についてのシーン毎に分類して対応づけテーブルＣ０を生成し、イベントバー３７にイベントの行事についてのシーンに対応するシーンボタン３９を、行事がイベントにおいて行われた順序にて並べて表示しているが、画像データを、屋外の画像を表すもの、集合写真を表すもの、アップの写真を表すもの、屋内の写真を表すもの等、イベントにおいて行われた行事に依存しないシーンに分類してもよい。この場合、目標値配列テーブルＯＴ１に記述される目標値は、屋外の画像、集合写真等のシーンの特徴を表すものとなる。
【００６７】
このように、画像データをイベントにおいて行われた行事に依存しないシーンに分類した場合における編集初期画面を他の例として図１３に示す。図１３は編集初期画面の他の例を示す図である。図１３に示すように編集初期画面４０には、画像の一覧を表示する一覧表示フィールド４１、案内画像が挿入されたテンプレートを表示するテンプレート表示フィールド４３、ツールボックス４５およびシーンボタンフィールド４７が含まれる。
【００６８】
シーンボタンフィールド４７には、画像データを分類したシーンを表す「屋外」、「屋内」、「集合」、「ペア」、「アップ」および「ロング」の表示がなされたシーンボタン４９が表示されている。そして、オペレータがシーンボタンフィールド４７における所望とするシーンボタン４９をクリックすることにより選択すると、アルバム編集ＰＣ１は対応づけテーブルＣ０を参照して、選択したシーンに対応する画像グループに分類された画像データにより表される画像の一覧を生成してこれを一覧表示フィールド４１に表示し、さらに選択したシーンに対応する画像挿入領域が含まれるテンプレートのページをテンプレート表示フィールド４３表示する。これにより、上記実施形態と同様にオペレータはシーン毎にテンプレートの画像挿入領域に挿入する画像を選択することができる。
【００６９】
なお、上記実施形態においては、特徴量として画像データにより表される画像に含まれるＲ，Ｇ，Ｂ各色のその画像における平均値を用いているが、これに限定されるものではなく、画像により表されるシーンの明度、彩度、色相、像構造、および被写体の種類等の少なくとも１つを表す各種情報を用いることができる。具体的には、画像の色特性（画像全体の色バランス、平均明度、平均彩度、画素毎の色のばらつきを表す色分散、明度ヒストグラム、彩度ヒストグラム、色相ヒストグラム等）、像構造特性（空間周波数分布等）、被写体特性（画像全体に占める顔、空、水、緑色領域等の割合、顔のサイズ、被写体の形状等）等の少なくとも１つを用いることができる。
【００７０】
また、画像データをシーン毎に分類する手法としては画像データにより表される画像の特徴量を用いる手法に限定されるものではなく、例えば画像データに付与された撮影日時を表す情報を参照して画像データを撮影順に並べ、撮影日や撮影時刻に応じて画像データを分類する等、任意の手法を用いることができる。
【００７１】
また、上記実施形態において、同じシーンであっても、ユーザの好みに応じてそのシーンに含まれる人物の衣装の色が変わる場合がある。また、ユーザが選択した衣装やポーズに応じて、撮影時の背景の色が変更される場合がある。具体的には、シーンの背景が水色である場合、テンプレートの色も水色または水色に類似する色であることが好ましい。
【００７２】
このため、テンプレートが複数のシーンの少なくとも１つに対応する色を有する複数ページからなる場合において、選択されたシーンに対応する色を有するページを表示することが好ましい。以下これを第２の実施形態として説明する。
【００７３】
図１４は、イベントのシーン、画像グループ、画像挿入領域、テンプレートのページ番号および色情報を対応づけた対応づけテーブルを示す図である。なお、第２の実施形態においては、３ページを有し、各ページに画像挿入領域１−ａ，１−ｂ，１−ｃをそれぞれ有するテンプレートＴ３を使用するものとする。図１４に示すように対応付けテーブルＣ１には、シーン１、画像グループＡおよび画像挿入領域１−ａが対応づけられ、シーン２、画像グループＣおよび画像挿入領域１−ｂが対応づけられ、シーン３、画像グループＢおよび画像挿入領域１−ｃが対応づけられている。さらに、シーン１、画像グループＡおよび画像挿入領域１−ａとテンプレートのページ１−１および１−２とが対応づけられ、シーン２、画像グループＣおよび画像挿入領域１−ｂとテンプレートのページ２−１および２−２とが対応づけられ、シーン３、画像グループＢおよび画像挿入領域１−ｃとテンプレートのページ３−１および３−２とが対応づけられている。さらに、ページ１−１および１−２にはそれぞれ水色およびピンク色が、ページ２−１および２−２にはそれぞれ黄色およびピンク色が、ページ３−１および３−２にはそれぞれ水色および黄色の色情報が対応づけられている。
【００７４】
ここで、色情報とは、テンプレートのページに多く含まれる色を表すものとする。
【００７５】
第２の実施形態においては、アルバム編集ＰＣ１が各画像グループＡ〜Ｃのシーンの特徴量（ｒ，ｇ，ｂ）の平均値に基づいて、画像グループＡ〜Ｃの背景となる色を判別する。そして、判別された色に基づいて、テンプレートＴ３のページを選択する。例えば、画像グループＡの背景となる色が水色であり、画像グループＢの背景となる色がピンク色であり、画像グループＣの背景となる色が水色である場合、編集画面においてオペレータがシーン１，２，３をそれぞれクリックすると、アルバム編集ＰＣ１はページ１−１，２−２および３−１をそれぞれ選択し、選択したページをテンプレート表示フィールド３３に表示する。
【００７６】
一方、画像グループＡの背景となる色がピンク色であり、画像グループＢの背景となる色が黄色であり、画像グループＣの背景となる色が黄色である場合、編集画面においてオペレータがシーン１，２，３をそれぞれクリックすると、アルバム編集ＰＣ１はページ２−１，２−１および３−２をそれぞれ選択し、選択したページをテンプレート表示フィールド３３に表示する。
【００７７】
例えば、図１５（ａ）に示すように画像グループＡには水色の背景を有する画像Ｇ１が含まれている場合には、図１５（ｂ）に示すように水色の色情報に対応するページ１−１が選択されてテンプレート表示フィールド３３に表示される。したがって、図１５（ｃ）に示すように、画像の背景とテンプレートの色とが適合したアルバムを作成することができる。
【００７８】
また、図１６（ａ）に示すように画像グループＡにはピンク色の背景を有する画像Ｇ１が含まれている場合には、図１６（ｂ）に示すようにピンク色の色情報に対応するページ１−２が選択されてテンプレート表示フィールド３３に表示される。したがって、図１６（ｃ）に示すように、画像の背景とテンプレートの色とが適合したアルバムを作成することができる。
【００７９】
なお、上記第２の実施形態において、オペレータがシーン１，２，３のいずれかをクリックした際に、テンプレートのページをサムネイル画像の一覧として表示し、その一覧において所望とするページをクリックすることにより、ページを選択できるようにしてもよい。また、一覧表示フィールド３１において画像を選択する毎に選択した画像のシーンの特徴量を算出し、算出した特徴量（すなわち色）に適合するテンプレートのページをテンプレート表示フィールド３３に表示するようにしてもよい。
【００８０】
なお、上記各実施形態においては、オペレータが選択した画像を表す画像データの処理済み画像データをミニラボ機３Ａ，３Ｂにおいてプリント出力して、テンプレートに対応する台紙にプリントを貼り付けることによりアルバムを作成しているが、ファイルサーバ５において、処理済み画像データとテンプレートデータとを合成して、テンプレートの画像挿入領域にオペレータが選択した画像が挿入された画像（すなわちアルバム画像）を表す合成画像データを生成し、合成画像データをミニラボ機３Ａ，３Ｂに出力するようにしてもよい。
【００８１】
これにより、ミニラボ機３Ａ，３Ｂにおいて合成画像データをプリント出力すれば、アルバム画像のプリントを製本するのみで、プリントを台紙に貼り付ける作業を行うことなく、アルバムを作成することができる。
【００８２】
また、上記各実施形態においては、フイルムに記録した画像を読み取ることにより得た画像データを用いてアルバムを作成しているが、デジタルカメラにより取得した画像データをそのまま用いてアルバムを作成することも可能である。この場合、ファイルサーバ５には、メモリカード等の撮影により取得した画像データを記録したメディアから画像データを読み出すメディアドライブが設けられ、メディアドライブを用いてメディアから読み出した画像データがファイルサーバ５に保管される。また、カメラ付きの携帯電話により取得した画像データを用いてアルバムを作成することも可能である。この場合、携帯電話通信網を用いてカメラ付き携帯電話から送信した画像データがファイルサーバ５に保管される。
【００８３】
また、上記各実施形態においては、アルバム編集ＰＣ１においてアルバムに使用する画像を選択した後に、ファイルサーバ５において選択した画像を表す画像データに対してのみセットアップ処理を施しているが、ファイルサーバ５にミニラボ３Ａ，３Ｂあるいはスキャナ３Ｃから画像データが送信された際に、すべての画像データに対してセットアップ処理を施してファイルサーバ５に保管するようにしてもよい。また、アルバム編集ＰＣ１において、ファイルサーバ５から送信されたすべての画像データあるいはアルバムに使用するために選択した画像データに対してセットアップ処理を施すようにしてもよい。
【００８４】
また、上記各実施形態において、アルバム編集ＰＣ１またはファイルサーバ５が、レイアウト情報に基づいて、テンプレートにユーザの画像を挿入した状態のデータ（アルバムデータ）を生成し、これをユーザがアクセス可能なサーバ等に送信して保管しておくようにしてもよい。これにより、ユーザはアルバムの出来具合をアルバム作成の前に確認することができる。なお、この場合、そのアルバムデータを用いてアルバムを作成するか、編集をやり直すかをユーザに選択させるようにしてもよい。
【図面の簡単な説明】
【００８５】
【図１】本発明の実施形態による画像編集装置を備えた画像編集システムの構成を示す概略ブロック図
【図２】アルバム編集ＰＣの構成を示す概略ブロック図
【図３】画像データの分類を説明するための図
【図４】目標値配列テーブルの例を示す図
【図５】第１の実施形態における画像グループとシーンとを対応づけた対応付けテーブルの例を示す図
【図６】テンプレート目標値テーブルの例を示す図
【図７】対応づけテーブルの例を示す図
【図８】編集初期画面の例を示す図
【図９】編集画面の例を示す図
【図１０】レイアウト情報の例を示す図
【図１１】本実施形態において行われる処理を示すフローチャート
【図１２】アルバム編集指示を受け付ける処理を示すフローチャート
【図１３】編集初期画面の他の例を示す図
【図１４】第２の実施形態におけるイベントのシーン、画像グループ、画像挿入領域、テンプレートのページ番号および色情報を対応づけた対応づけテーブルの例を示す図
【図１５】第２の実施形態におけるアルバムの編集例を示す図（その１）
【図１６】第２の実施形態におけるアルバムの編集例を示す図（その２）
【符号の説明】
【００８６】
１    アルバム編集ＰＣ
３Ａ，３Ｂ    ミニラボ機
３Ｃ    スキャナ
５    ファイルサーバ
７    工程管理ＰＣ
１１    ＣＰＵ
１３    送受信手段
１５    表示手段
１７    入力手段
１９    Ｉ／Ｏ
２１    メモリ
２３    記録手段
２５    バス
３０，４０    編集初期画面
３０′  編集画面
３１，４１    一覧表示フィールド
３３，４３    テンプレート表示フィールド
３５，４５    ツールボックス
３７    イベントバー
３９，４９    シーンボタン
４７    シーンボタンフィールド
【図１】
2005184791.tif 000003
【図２】
2005184791.tif 000004
【図３】
2005184791.tif 000005
【図４】
2005184791.tif 000006
【図５】
2005184791.tif 000007
【図６】
2005184791.tif 000008
【図７】
2005184791.tif 000009
【図８】
2005184791.tif 000010
【図９】
2005184791.tif 000011
【図１０】
2005184791.tif 000012
【図１１】
2005184791.tif 000013
【図１２】
2005184791.tif 000014
【図１３】
2005184791.tif 000015
【図１４】
2005184791.tif 000016
【図１５】
2005184791.tif 000017
【図１６】
2005184791.tif 000018